(57)【要約】【課題】ゼロ点校正をゼロ水を用いずに迅速に校正出来、校正時間が短縮出来るポーラログラフ検出器を提供する。【解決手段】ゼロ点補正を行うポーラログラフ検出器において、試料水停止直後の初期濃度値を求めこの値から試料水停止直後の初期濃度値と試料水停止後所定時間経過後の濃度との差を前以って求められた試料水の応答関数により除して求めた値を引くことにより濃度ゼロにおける濃度の指示値を求めこの値からゼロ点補正値を演算するゼロ点補正演算回路と、このゼロ点補正演算回路からの信号により検出器のゼロ点校正を行うゼロ点校正回路とを具備したことを特徴とするポーラログラフ検出器である。【選択図】        図１
2004347350.tif 000002
【特許請求の範囲】
【請求項１】
ゼロ点補正を行うポーラログラフ検出器において、
試料水停止直後の初期濃度値を求めこの値から試料水停止直後の初期濃度値と試料水停止後所定時間経過後の濃度との差を前以って求められた試料水の応答関数により除して求めた値を引くことにより濃度ゼロにおける濃度の指示値を求めこの値からゼロ点補正値を演算するゼロ点補正演算回路と、
このゼロ点補正演算回路からの信号により検出器のゼロ点校正を行うゼロ点校正回路と
を具備したことを特徴とするポーラログラフ検出器。
【請求項２】
スパン校正を行うポーラログラフ検出器において、
スパン校正液流入直後の初期濃度値を求めこの値からスパン校正液流入直後の初期濃度値とスパン校正液流入後所定時間経過後の濃度との差を前以って求められたスパン校正液の応答関数により除して求めた値を引くことによりスパン校正液の濃度の指示値を求めこの値からスパン補正値を演算するスパン補正演算回路と、
このスパン補正演算回路からの信号により検出器のスパン校正を行うスパン校正回路と
を具備したことを特徴とするポーラログラフ検出器。
【請求項３】
ゼロ点補正とスパン校正とを行うポーラログラフ検出器において、
試料水停止直後の初期濃度値を求めこの値から試料水停止直後の初期濃度値と試料水停止後所定時間経過後の濃度との差を前以って求められた試料水の応答関数により除して求めた値を引くことにより濃度ゼロにおける濃度の指示値を求めこの値からゼロ点補正値を演算するゼロ点補正演算回路と、
このゼロ点補正演算回路からの信号により検出器のゼロ点校正を行うゼロ点校正回路と、
スパン校正液流入直後の初期濃度値を求めこの値からスパン校正液流入直後の初期濃度値とスパン校正液流入後所定時間経過後の濃度との差を前以って求められたスパン校正液の応答関数により除して求めた値を引くことによりスパン校正液の濃度の指示値を求めこの値からスパン補正値を演算するスパン補正演算回路と、
このスパン補正演算回路からの信号により検出器のスパン校正を行うスパン校正回路と
を具備したことを特徴とするポーラログラフ検出器。
【請求項４】
ポーラログラフ検出器として残留塩素計が使用されたこと
を特徴とする請求項１乃至請求項３の何れかに記載のポーラログラフ検出器。
【請求項５】
ポーラログラフ検出器として溶存酸素計が使用されたこと
を特徴とする請求項１乃至請求項４の何れかに記載のポーラログラフ検出器。
【請求項６】
前記ゼロ点校正あるいはスパン校正は所定期間ごとに行うようにしたこと
を特徴とする請求項１乃至請求項５の何れかに記載のポーラログラフ検出器。
【請求項７】
前記ゼロ点校正あるいはスパン校正は所定期間ごとに自動的に行うようにしたことを
を特徴とする請求項６記載のポーラログラフ検出器。
【発明の詳細な説明】
【０００１】
【発明の属する技術分野】
ゼロ点校正あるいはスパン校正を迅速に校正出来、校正時間が短縮出来るポーラログラフ検出器に関するものである。
【０００２】
【従来の技術】
図４は、従来より一般に使用されている従来例の構成説明図で、例えば、実開平０２―０１７６５６号に示されている（例えば、特許文献１参照。）。
図５，図６は図４の動作説明図である。
【０００３】
図４において、残留塩素計１のゼロ点校正を、水道法公定法によりゼロ水を使用して行う場合。
ゼロ水用原水２、例えば．浄水，ろ過水，配水を、通常は、活性炭フィルタが満たされたゼロ水調製装置３に通水し、残留塩素を除去して、ゼロ水を作る。
【０００４】
シーケンサ４からのゼロ点校正切替え信号により試料水停止用電磁弁Ｖ１を閉じ、ゼロ水停止用電磁弁Ｖ２を開けて、試料水５からゼロ水に切替えて、残留塩素計１にゼロ水を通水する。
【０００５】
図５に示す如く、ゼロ水に切替後、時間Ｔが経過して、残留塩素計１の指示値が安定したら、これがゼロになる様に、指残留塩素計１のゼロ点Ｃ０の補正を、ゼロ点校正回路６を使用して行う。
図５において縦軸は濃度Ｃ、横軸は経過時間Ｔを示す。
【０００６】
なお、残留塩素計１から出力信号７は、残留塩素計１の測定出力信号であり、８は残留塩素計１の排水を示す。
【０００７】
次に、残留塩素計１のスパン校正を、スパン校正水１１を使用して行う場合。
シーケンサ４からのスパン校正切替え信号により試料水停止用電磁弁Ｖ１を閉じ、スパン校正水停止用電磁弁Ｖ３を開けて、試料水５からスパン校正水１１に切替えて、残留塩素計１にスパン校正水１１を通水する。
【０００８】
図６に示す如く、スパン校正水１１に切替後、時間Ｔが経過して、残留塩素計１の指示値が安定したら、これが所定スパンになる様に、指残留塩素計１のスパン点ＣＳの補正を、スパン校正回路１２を使用して行う。
図６において縦軸は濃度Ｃ、横軸は経過時間Ｔを示す。
【０００９】
【特許文献１】
実開平０２―０１７６５６号（第２−３頁、第１図）
【００１０】
【発明が解決しようとする課題】
しかしながら、このような装置においては、以下の問題点がある。
ゼロ水調製装置３が必要となり、ゼロ点校正コストが掛かり、製作コスト高となる。ゼロ水調製装置３には、通常、活性炭が使用され、この消耗費がかかる。残留塩素計１の指示値がゼロに応答するまでに、長時間を要する。例えば、５〜１０分掛かる。
【００１１】
また、スパン校正においても、残留塩素計１の指示値がスパン点に安定するまでに、長時間を要する。例えば、５〜１０分掛かる。
【００１２】
本発明の目的は、上記の課題を解決するもので、ゼロ点校正をゼロ水を用いずに迅速に校正出来、ゼロ点校正とスパン点校正との校正時間が短縮出来るポーラログラフ検出器を提供することにある。
【００１３】
【課題を解決するための手段】
このような目的を達成するために、本発明では、請求項１のポーラログラフ検出器においては、
ゼロ点補正を行うポーラログラフ検出器において、
試料水停止直後の初期濃度値を求めこの値から試料水停止直後の初期濃度値と試料水停止後所定時間経過後の濃度との差を前以って求められた試料水の応答関数により除して求めた値を引くことにより濃度ゼロにおける濃度の指示値を求めこの値からゼロ点補正値を演算するゼロ点補正演算回路と、このゼロ点補正演算回路からの信号により検出器のゼロ点校正を行うゼロ点校正回路とを具備したことを特徴とする。
【００１４】
本発明の請求項２においては、ポーラログラフ検出器において、
スパン校正を行うポーラログラフ検出器において、スパン校正液流入直後の初期濃度値を求めこの値からスパン校正液流入直後の初期濃度値とスパン校正液流入後所定時間経過後の濃度との差を前以って求められたスパン校正液の応答関数により除して求めた値を引くことによりスパン校正液の濃度の指示値を求めこの値からスパン補正値を演算するスパン補正演算回路と、このスパン補正演算回路からの信号により検出器のスパン校正を行うスパン校正回路とを具備したことを特徴とする。
【００１５】
本発明の請求項３においては、ポーラログラフ検出器において、
ゼロ点補正とスパン校正とを行うポーラログラフ検出器において、
試料水停止直後の初期濃度値を求めこの値から試料水停止直後の初期濃度値と試料水停止後所定時間経過後の濃度との差を前以って求められた試料水の応答関数により除して求めた値を引くことにより濃度ゼロにおける濃度の指示値を求めこの値からゼロ点補正値を演算するゼロ点補正演算回路と、このゼロ点補正演算回路からの信号により検出器のゼロ点校正を行うゼロ点校正回路と、スパン校正液流入直後の初期濃度値を求めこの値からスパン校正液流入直後の初期濃度値とスパン校正液流入後所定時間経過後の濃度との差を前以って求められたスパン校正液の応答関数により除して求めた値を引くことによりスパン校正液の濃度の指示値を求めこの値からスパン補正値を演算するスパン補正演算回路と、このスパン補正演算回路からの信号により検出器のスパン校正を行うスパン校正回路とを具備したことを特徴とする。
【００１６】
本発明の請求項４においては、請求項１乃至請求項３の何れかに記載のポーラログラフ検出器において、
ポーラログラフ検出器として残留塩素計が使用されたことを特徴とする。
【００１７】
本発明の請求項５においては、請求項１乃至請求項４の何れかに記載のポーラログラフ検出器において、
ポーラログラフ検出器として溶存酸素計が使用されたことを特徴とする。
【００１８】
本発明の請求項６においては、請求項１乃至請求項５の何れかに記載のポーラログラフ検出器において、
前記ゼロ点校正あるいはスパン校正は所定期間ごとに行うようにしたことを特徴とする。
【００１９】
本発明の請求項７においては、請求項６記載のポーラログラフ検出器において、
前記ゼロ点校正あるいはスパン校正は所定期間ごとに自動的に行うようにしたことを特徴とする。
【００２０】
【発明の実施の形態】
以下図面を用いて本発明を詳しく説明する。
図１は本発明の一実施例の要部構成説明図、図２，図３は図１の動作説明図である。
図において、図４と同一記号の構成は同一機能を表す。
以下、図４と相違部分のみ説明する。
【００２１】
先ず、ゼロ点校正について説明する。
ゼロ点補正演算回路２１は、試料水５の停止直後の初期濃度値Ｃｉ０を求め、この値から試料水停止直後の初期濃度値Ｃｉ０と試料水停止後所定時間経過後の濃度Ｃｔ０との差を、前以って求められた試料水の応答関数ｆ（ｔ０）により除して求めた値を引くことにより、濃度ゼロにおける濃度の指示値を求め、この値からゼロ点補正値を演算する。
【００２２】
ゼロ点校正回路２２は、ゼロ点補正演算回路１２からの信号により残留塩素計１のゼロ点校正を行う
【００２３】
以上の構成において、図２に示す如く、試料水５をストップバルブＶ１により停止すると、残留塩素計１の測定槽内の残留塩素濃度は、測定により電気分解（還元）されるので、時間とともに減少する。この減少の仕方は、応答関数ｆ（ｔ０）で近似できる。
【００２４】
ここで、
Ｃｉ０：初期濃度（試料水停止直後）
Ｃｔ０：試料水停止後、経過時間ｔにおける濃度
Ｃ００：  濃度ゼロにおける指示値（ゼロ点補正量）
とすると、
2004347350.tif 000003
【００２５】
図２の濃度応答の図（経過時間〜濃度）において、
2004347350.tif 000004
式（１）より
2004347350.tif 000005
【００２６】
従って、応答関数ｆ（ｔ０）を実験的に求めておけば、濃度がゼロになる前に（経過時間ｔで）、ゼロ補正値を知ることが出来、短時間でゼロ校正を行うことができることになる。
【００２７】
この結果、
試料水の流量を停止した時からの濃度減少の関数と、試料水停止直後の濃度Ｃと、試料水停止後で経過時間ｔにおける濃度Ｃｔと、を用いて、ゼロ点を求めることにより、ゼロ点校正を、ゼロ水を必要とせずに、短時間で行う事が出来るポーラログラフ検出器が得られる。
【００２８】
ゼロ水を必要としないので、活性炭フィルタ，切換用電磁弁，配管，等が不要となり、装置のコスト低減、メンテナンスコスト低減が出来るポーラログラフ検出器が得られる。
【００２９】
次に、スパン校正について説明する。
スパン補正演算回路３１は、スパン校正液１１の流入直後の初期濃度値ＣｉＳを求め、この値からスパン校正液流入直後の初期濃度値ＣｉＳとスパン校正液流入後所定時間経過後の濃度ＣｔＳとの差を、前以って求められたスパン校正液の応答関数ｆ（ｔＳ）により除して求めた値を引くことにより、スパン校正液の濃度の指示値ＣＳを求め、この値からスパン補正値を演算する、
【００３０】
スパン校正回路３２は、のスパン補正演算回路３１からの信号により、検出器のスパン校正を行う。
【００３１】
以上の構成において、図３に示す如く、試料水５をストップバルブＶ１により停止し、ストップバルブＶ３を開くと、残留塩素計１の測定槽内の残留塩素濃度は、時間とともに増大する。この増大の仕方は、応答関数ｆ（ｔ０）で近似できる。
【００３２】
ここで、
ＣｉＳ：初期濃度（試料水停止直後）
ＣｔＳ：試料水停止・校正水供給後、経過時間ｔにおける濃度
ＣＳ：  校正水測定安定値
とすると、
2004347350.tif 000006
【００３３】
図３の濃度応答の図（経過時間〜濃度）において、
2004347350.tif 000007
感度補正係数Ｋ＝Ｃ＊Ｓ／ＣＳ                                  （６）
Ｃ＊Ｓ：校正水の濃度Ｃ
【００３４】
従って、応答関数ｆ（ｔＳ）を実験的に求めておけば、濃度がスパン点になる前に（経過時間ｔで）、スパン補正値ＣＳ＊−ＣＳを知ることが出来、短時間でスパン校正を行うことができることになる。
【００３５】
この結果、スパン校正に要する時間が短縮出来、例えば。２０分程度が１０分程度に短縮出来、スパン校正時間が短縮できるポーラログラフ検出器が得られる。
【００３６】
なお、前述の実施例においては、残留塩素計１に付いて、説明したが、これに限ることはなく、たとえば、溶存酸素計であっても良く、要するに、ポーラログラフ検出器であれば良い。
【００３７】
なお、以上の説明は、本発明の説明および例示を目的として、特定の好適な実施例を示したに過ぎない。したがって本発明は、上記実施例に限定されることなく、その本質から逸脱しない範囲で更に多くの変更、変形をも含むものである。
【００３８】
【発明の効果】
以上説明したように、本発明の請求項１によれば、次のような効果がある。
ゼロ水を必要とせずに、短時間でゼロ校正を終了できるポーラログラフ検出器が得られる。
【００３９】
ゼロ水を必要としないので、活性炭フィルタ，切換用電磁弁，配管，等が不要となり、装置のコスト低減、メンテナンスコスト低減が出来るポーラログラフ検出器が得られる。
【００４０】
本発明の請求項２によれば、次のような効果がある。
この結果、スパン校正に要する時間が短縮出来、例えば。２０分程度が１０分程度に短縮出来、スパン校正時間が短縮できるポーラログラフ検出器が得られる。
【００４１】
本発明の請求項３，４，５によれば、次のような効果がある。
ゼロ点校正時間とスパン校正時間とが短縮できるポーラログラフ検出器が得られる。
【００４２】
本発明の請求項６によれば、次のような効果がある。
ゼロ点校正あるいはスパン校正は所定期間ごとに行うようにしたので、ゼロ点校正あるいはスパン校正が所定期間ごとに行われ、測定値の精度が向上されたポーラログラフ検出器が得られる。
【００４３】
本発明の請求項７によれば、次のような効果がある。
前記ゼロ点校正あるいはスパン校正は所定期間ごとに自動的に行うようにしたので、自動的にゼロ点校正あるいはスパン校正が行われ、更に、測定値の精度が向上されたポーラログラフ検出器が得られる。
【００４４】
従って、本発明によれば、ゼロ点校正をゼロ水を用いずに迅速に校正出来、校正時間が短縮出来るポーラログラフ検出器を実現することが出来る。
【図面の簡単な説明】
【図１】本発明の一実施例の要部構成説明図である。
【図２】図１の動作説明図である。
【図３】図１の動作説明図である。
【図４】従来より一般に使用されている従来例の要部構成説明図である。
【図５】図４の動作説明図である。
【図６】図４の動作説明図である。
【符号の説明】
１        残留塩素計
２        ゼロ水用原水
３        ゼロ水調製装置
４        シーケンサ
５        試料水
６        ゼロ点校正回路
７        出力信号
８        排水
１１      スパン校正水
１２      スパン校正回路
２１      ゼロ点補正演算回路
２２      ゼロ点校正回路
３１      スパン補正演算回路
３２      スパン校正回路
Ｃ００      ゼロ点補正量
ＣＳ＊−ＣＳ  スパン補正量
Ｖ１      試料水停止用電磁弁
Ｖ２      ゼロ水停止用電磁弁
Ｖ３      スパン校正水停止用電磁弁
【図１】
2004347350.tif 000008
【図２】
2004347350.tif 000009
【図３】
2004347350.tif 000010
【図４】
2004347350.tif 000011
【図５】
2004347350.tif 000012
【図６】
2004347350.tif 000013